(57)【要約】【課題】上面に載置された薄型テレビの配線を容易に行なうことができるようにしたオーディオ機器の載置用家具を提供することにある。【解決手段】前面が開口し前後方向の後方に収容部１３を有する家具本体１と、家具本体の上面に前後方向に沿って移動可能に設けられ上面が薄型テレビを載置することが可能な載置面となっていて、前方へ移動させたときに収容部の上面を開放する可動載置板３１と、可動載置板の前後方向の後端部に設けられ載置面に載置される薄型テレビに接続された給電コード４１を収容部に挿通する挿通孔３９を具備する。【選択図】      図１
2008142513.tif 000002
【特許請求の範囲】
【請求項１】
オーディオ機器を載置するための載置用家具であって、
前後方向の後方に収容部が形成された家具本体と、
この家具本体の上面に前後方向に沿って移動可能に設けられ上面が上記オーディオ機器を載置することが可能な載置面となっていて、前方へ移動させたときに上記収容部の上面を開放する可動載置板と、
この可動載置板の前後方向の後端部に設けられ上記載置面に載置される上記オーディオ機器に接続された第１の電気コードを上記収容部に挿通する挿通部と
を具備したことを特徴とするオーディオ機器の載置用家具。
【請求項２】
上記家具本体は背面板を有し、上記収容部は上記背面板の後方に形成されることを特徴とする請求項１記載のオーディオ機器の載置用家具。
【請求項３】
上記家具本体は背面板を有し、上記収容部は上記背面板の前方に形成されることを特徴とする請求項１記載のオーディオ機器の載置用家具。
【請求項４】
上記収容部には上記第１の電気コードが接続されるコンセントが設けられていることを特徴とする請求項１記載のオーディオ機器の載置用家具。
【請求項５】
上記家具本体は、
上記可動載置板と幅寸法及び前後方向に沿う奥行き寸法がほぼ同じに設定された底板と、
この底板の前後方向の後部に幅方向に沿って設けられた背面板と、
上記底板の幅方向の両端部に立設された一対の側板と、
この側板よりも奥行き寸法が小さく設定され上記一対の側板間にこれら側板と前端面を一致させるとともに、後端面を上記収容部に露出させて立設された仕切り板と、
上記側板、仕切り板及び背面板によって区画された空間部の上面開口を閉塞するよう設けられその上面に上記可動載置板が前後方向に沿って移動可能に設けられる上板とによって構成されていて、
上記仕切り板の後端面には上記第１の電気コードが接続されるコンセントが設けられることを特徴とする請求項１記載のオーディオ機器の載置用家具。
【請求項６】
上記コンセントには第２の電気コードが接続されていて、上記側板の上記収容部に対応する箇所には上記第２の電気コードを上記収容部から導出するための導出孔が形成されていることを特徴とする請求項４又は請求項５記載のオーディオ機器の載置用家具。
【請求項７】
上記挿通部は挿通孔であって、上記上面板の上記挿通孔と対応する部位には、上記可動載置板を前方に移動させたときに上記第１の電気コードの上記挿通孔から導出された部分が入り込む逃げ溝が上面及び後端面に開放して形成されていることを特徴とする請求項５記載のオーディオ機器の載置用家具。
【請求項８】
上記家具本体の上面には前後方向に沿う長孔が形成され、上記可動載置板には上記長孔に係合して上記可動載置板の前後方向の移動をガイドするとともに移動範囲を制限するガイド部材が設けられていることを特徴とする請求項１記載のオーディオ機器の載置用家具。
【請求項９】
上記家具本体は、
上記可動載置板と幅寸法及び前後方向に沿う奥行き寸法がほぼ同じに設定され前後方向の後端に背面板が幅方向に沿って設けられた底板と、
この底板の幅方向の両端部に立設された一対の側板と、
この側板と奥行き寸法がほぼ同じに設定され上記一対の側板間に所定間隔で設けられた一対の仕切り板と、
上記一対の仕切り板間の前後方向中途部に幅方向に沿って架設され一対の仕切り板間の上記背面板の前面との間に上記収容部を区画形成した隔別板と、
上記一対の側板間に形成された空間部のうち、少なくとも上記収容部の上面開口を除く部分を閉塞して設けられその上面に上記可動載置板が前後方向に沿って移動可能に設けられた上板によって構成されていることを特徴とする請求項１記載のオーディオ機器の載置用家具。
【発明の詳細な説明】
【技術分野】
【０００１】
この発明はたとえば薄型テレビなどのオーディオ機器を載置するための載置用家具に関する。
【背景技術】
【０００２】
最近ではオーディオ機器であるテレビが薄型化する傾向にあり、それに伴ってテレビを載置するための載置用家具の形状も変化してきている。すなわち、従来の載置用家具は上面にテレビを単に載置することができるだけのものであったが、最近ではテレビを載置するだけでなく、家具として外観を損なうことのないよう、上記テレビを載置することができるようにすることが要求されている。
【０００３】
家具としての外観を損なうことがないようにするためには、たとえば薄型テレビに接続される給電コードができるだけ載置用家具の前面に露出しないようにする構成が望まれている。そのような載置用家具としては特許文献１に示される構成が知られている。
【０００４】
特許文献１に示された載置用家具は、背板を家具後端よりやや前方に配置し、その家具を壁面に当接させて載置し、壁面に設けたコンセントを背板との間の隙間に収め、背板のコンセントに対向する箇所にコンセントよりも大きい開口を形成するようにしている。上記家具の天板には上記開口に近い部分に配線孔を設ける。
【０００５】
それによって、天板に載置された薄型テレビに接続された電気コードを上記配線孔から上記背板に形成された開口を通すことで、この背板の背面側に位置するコンセントに接続することができる。
【特許文献１】特開２００１―８７５４号公報
【発明の開示】
【発明が解決しようとする課題】
【０００６】
このような構成によれば、上記コンセントに接続された電気コードは上記背板と上記壁面との間の空間部に収容され、載置用家具の前面にはほとんど露出することがないため、外観的には良好である。
【０００７】
しかしながら、上記背板と壁面との間の空間部は側方が上記載置用家具の左右一対の側板によって閉塞され、上面が天板によって閉塞されている。そのため、コンセントに対して電気コードを接続したり、取り外す場合、載置家具をその背面が壁面から所定間隔で離れる位置まで移動させなければならないから、載置用家具の上面に薄型テレビを設置する際の作業性が非常に悪いということがあった。
【０００８】
とくに、載置用家具に載置される薄型テレビが大型化すると、それに伴って載置用家具も大型化するから、薄型テレビが載置された載置家具を移動させることが容易でないということがある。しかも、特許文献１の構成では壁面に設けたコンセントを載置用家具の背板との間に収めなければならないから、壁面のコンセントが設けられていない箇所には載置用家具を設置し難いということになる。
【０００９】
この発明は、オーディオ機器に接続される電気コードが外部に露出することがほとんどなく、しかもオーディ機器に対する電気コードの接続や取り外しを容易に行なうことができるようにしたオーディオ機器の載置用家具を提供することにある。
【課題を解決するための手段】
【００１０】
この発明は、オーディオ機器を載置するための載置用家具であって、
前後方向の後方に収容部が形成された家具本体と、
この家具本体の上面に前後方向に沿って移動可能に設けられ上面が上記オーディオ機器を載置することが可能な載置面となっていて、前方へ移動させたときに上記収容部の上面を開放する可動載置板と、
この可動載置板の前後方向の後端部に設けられ上記載置面に載置される上記オーディオ機器に接続された第１の電気コードを上記収容部に挿通する挿通部と
を具備したことを特徴とするオーディオ機器の載置用家具にある。
【００１１】
上記家具本体は背面板を有し、上記収容部は上記背面板の後方に形成されることが好ましい。
【００１２】
上記家具本体は背面板を有し、上記収容部は上記背面板の前方に形成されることが好ましい。
【００１３】
上記収容部には上記第１の電気コードが接続されるコンセントが設けられていることが好ましい。
【００１４】
上記家具本体は、
上記可動載置板と幅寸法及び前後方向に沿う奥行き寸法がほぼ同じに設定された底板と、
この底板の前後方向の後部に幅方向に沿って設けられた背面板と、
上記底板の幅方向の両端部に立設された一対の側板と、
この側板よりも奥行き寸法が小さく設定され上記一対の側板間にこれら側板と前端面を一致させるとともに、後端面を上記収容部に露出させて立設された仕切り板と、
上記側板、仕切り板及び背面板によって区画された空間部の上面開口を閉塞するよう設けられその上面に上記可動載置板が前後方向に沿って移動可能に設けられる上板とによって構成されていて、
上記仕切り板の後端面には上記第１の電気コードが接続されるコンセントが設けられることが好ましい。
【００１５】
上記コンセントには第２の電気コードが接続されていて、上記側板の上記収容部に対応する箇所には上記第２の電気コードを上記収容部から導出するための導出孔が形成されていることが好ましい。
【００１６】
上記挿通部は挿通孔であって、上記上面板の上記挿通孔と対応する部位には、上記可動載置板を前方に移動させたときに上記第１の電気コードの上記挿通孔から導出された部分が入り込む逃げ溝が上面及び後端面に開放して形成されていることが好ましい。
【００１７】
上記家具本体の上面には前後方向に沿う長孔が形成され、上記可動載置板には上記長孔に係合して上記可動載置板の前後方向の移動をガイドするとともに移動範囲を制限するガイド部材が設けられていることが好ましい。
【００１８】
上記家具本体は、
上記可動載置板と幅寸法及び前後方向に沿う奥行き寸法がほぼ同じに設定され前後方向の後端に背面板が幅方向に沿って設けられた底板と、
この底板の幅方向の両端部に立設された一対の側板と、
この側板と奥行き寸法がほぼ同じに設定され上記一対の側板間に所定間隔で設けられた一対の仕切り板と、
上記一対の仕切り板間の前後方向中途部に幅方向に沿って架設され一対の仕切り板間の上記背面板の前面との間に上記収容部を区画形成した隔別板と、
上記一対の側板間に形成された空間部のうち、少なくとも上記収容部の上面開口を除く部分を閉塞して設けられその上面に上記可動載置板が前後方向に沿って移動可能に設けられた上板によって構成されていることがこのましい。
【発明の効果】
【００１９】
この発明によれば、可動載置板を家具本体の上面に前後方向に沿って移動可能に設け、この可動載置板を前方へ移動させることで、家具本体の後方に形成された収容部の上面を開放することができる。そのため、可動載置板にオーディオ機器を載置した場合、家具本体を移動させることなく、上記オーディオ機器に接続された第１の電気コードを上記収容部に対して容易に出し入れすることが可能となる。
【発明を実施するための最良の形態】
【００２０】
以下、この発明の実施の形態を図面を参照しながら説明する。  
図１乃至図８はこの発明の第１の実施の形態を示す。図１は載置用家具を示す斜視図であって、この載置用家具は家具本体１を有する。この家具本体１は平面形状が矩形状の底板２を備えている。この底板２の下面の幅方向両端部には底板２を支持する脚部材３が設けられている。
【００２１】
この底板２の幅方向両端部には、図２に示すように後端面を上記底板２の後端面に一致させ、前端面が底板２の前端面よりもわずかに後方に位置する奥行き寸法の一対の側板４が立設されている。一対の側板４間には、側板４よりも奥行き寸法が小さい仕切り板５が前端面を側板４の前端面に一致させて立設されている。
【００２２】
上記仕切り板５の後端と各側板４の後端よりも所定寸法前方の内面との間にはそれぞれ背面板７が設けられ、さらに側板４、仕切り板５及び背面板７との上部にはこれらによって区画された空間部９の上面を閉塞する上板８が設けられている。
【００２３】
それによって、家具本体１は前面が開放するとともに内部が仕切り板５によって２つの空間部９に区画された箱型状に形成されている。なお、家具本体１の前面には扉を開閉可能に設けるようにしてもよい。
【００２４】
上記一対の側板４の上記仕切り板５の後端面よりも後方に突出した後端間には覆い板１２が架設されている。それによって、上記背面板７の背面側には上記底板２、一対の側板４、背面板４及び覆い板１２によって底面及び周囲が囲まれた収容部１３が形成される。
【００２５】
なお、一対の側板４の後端間に覆い板１２を設けたが、覆い板１２を設けずに、収容部１３の後端面は開放したままとしてもよい。
【００２６】
図２と図３に示すように、一対の空間部９を形成する上記側板４の内面及び仕切り板５の両側面には、それぞれ複数の係止ピン１４が上下方向の取付け位置の調整可能に設けられている。そして、上記空間部９には棚板１５が幅方向の両端部を上記係止ピン１４に係合させて水平に架設されていて、上記棚板１５の後端には図５に示すように挿通溝１６が形成されている。
【００２７】
上記空間部９には棚板１５や底板２の上面に各種のオーディオ機器、図１や図５に示すようにたとえばＤＶＤ１７やビデオデッキ１８などが載置される。これらＤＶＤ１７とビデオデッキ１８を図５に示すように接続コード１９で接続する場合、その接続コード１９は上記挿通溝１６を通したり、上記背面板７に形成された挿通孔２１に通される。
【００２８】
図８に示すように上記仕切り板５は中空状のフラッシュ構造になっていて、その後端面にはコンセント２３が設けられている。このコンセント２３の接続面２３ａには複数の接続部（図示せず）が形成されていて、その接続面２３ａは上記仕切り板５の後端面に露出させている。
【００２９】
上記コンセント２３に接続された電気コード（第２の電気コード）２４は上記仕切り板５の後端面に開放した導出孔２５から上記家具本体１の背面板７の後方に形成された収容部１３に導出され、この収容部１３から図１乃至図３に示すように上記側板４の後端部の下端に形成された挿通孔２６を通されて外部に導出されている。
【００３０】
図１に示すように、上記収容部１３から家具本体１の外部に導出された電気コード２４は、その先端に設けられたプラグ２７を壁面２８に設けられた埋め込みコンセント２９に接続される。それによって、上記仕切り板５の後端に設けられたコンセント２３に給電されるようになっている。
【００３１】
上記家具本体１の上面には、上記底板２よりも幅寸法がわずかに小さく、前後方向の奥行き寸法がほぼ同じ大きさの矩形状に形成された可動載置板３１が上記家具本体１の前後方向に沿って移動可能に設けられている。
【００３２】
すなわち、図２や図６（ａ）に示すように上記上板８の上記家具本体１の幅方向両端部に対応する部位には長孔３２が前後方向に沿って穿設されている。上記可動載置板３１の下面の上記一対の長孔３２に対応する部分には図６（ａ）に示すように一対のナット３３が前後方向に沿って所定間隔で埋設されている。これらナット３３にはガイド部材としての一対のねじ軸３４が上記長孔３２にワッシャ３４ａを介して挿通されて螺合されている。
【００３３】
それによって、上記可動載置板３１は図６（ａ）に実線で示すように一方のねじ軸３４が長孔３２の後端に当たった後退位置と、他方のねじ軸３４が上記長孔３２の前端に当たる前進位置との間で上記家具本体１の前後方向に沿って移動させることができるようになっている。そして、上記可動載置板３１を図７に実線で示す前進位置に移動させれば、家具本体１の背面側に形成された収容部１３の上面が開放される。  
なお、可動載置板３１を後退させた位置で上記ねじ軸３４を締め込めば、この可動載置板３１を移動不能に固定することができる。
【００３４】
図３に示すように、上記移動載置板３１の幅方向の両端部の下面には、上記側板４の外面に対して隙間のない状態で対向位置する桟状の規制部材３５が前後方向に沿って設けられている。それによって、上記移動載置板３１は幅方向にずれ動くことがなく、前後方向に移動させることができるようになっている。  
なお、上記可動載置板３１が前後方向に移動し易いようにするため、一対の側板４と仕切り板５の上端面には滑沢性の樹脂製テープを貼着するようにしてもよい。
【００３５】
図１と図４に示すように、上記移動載置板３１の載置面となる上面にはオーディオ機器としての、たとえば薄型テレビ３７及び一対のスピーカ３８が載置される。上記移動載置板３１の幅方向中央部の後端部には挿通部としての一対の挿通孔３９が厚さ方向に貫通して形成されている。上記移動載置板３１が後退位置にあるとき、上記挿通孔３９は上記収容部１３の上面に対向位置している。
【００３６】
図４に示すように、上記薄型テレビ３７には電気コード（第１の電気コード）４１とアンテナコード４２が接続されている。これらのコード４１，４２は上記挿通孔３９に通されて上記収容部１３に導入される。上記電気コード４１の先端にはプラグ４３が設けられ、このプラグ４３は上記仕切り板５の後端面に設けられたコンセント２３に接続される。それによって、上記薄型テレビ３７に給電できるようになっている。
【００３７】
上記アンテナコード４２は、上記側板４の上記収容部１３を形成する部分である、後端部に形成された挿通孔２６に挿通されて家具本体１の外部に導出される。そして、図示しないアンテナ端子に接続される。  
なお、収容部１３の背面側を覆う覆い板１２に、上記第２の電気コード２４やアンテナコード４２を挿通する挿通孔或いは挿通溝を形成するようにしてもよい。
【００３８】
図２と図７に示すように、上記家具本体１の上板８の上面には、上記可動載置板３１に形成された挿通孔３９と対応する位置に逃げ溝４３が形成されている。この逃げ溝４３は上記上板８の上面及び後端面に開放している。
【００３９】
そのため、上記可動載置板３１を図７に示すように前方へ移動させたとき、上記給電コード４１やアンテナコード４２の上記可動載置板３１の挿通孔３９から導出された部分が上記逃げ溝４３に入り込むから、上記上板８と上記可動載置板３１との間に挟まれるのが防止される。
【００４０】
このような構成のオーディオ機器の載置用家具によれば、家具本体１の上面に可動載置板３１を前後方向に沿って移動可能に設け、この可動載置板３１の上面にオーディオ機器である、薄型テレビ３７を載置するようにした。
【００４１】
そのため、薄型テレビ３７を設置する場合には、まず、載置用家具を室内の所定の位置に設置してから可動載置板３１上に薄型テレビ３７を載置する。ついで、薄型テレビ３７に接続された給電コード４１を上記可動載置板３１に形成された挿通孔３９に通して家具本体１の背面側に形成された収容部１３に導出したならば、上記可動載置板３１を前方に移動させて収容部１３の上面を開放する。
【００４２】
収容部１３の上面を開放したならば、作業者はこの収容部１３に手を入れて収容部１３に露出したコンセント２３に上記電気コード４１の先端に設けられたプラグ４４を接続する。それによって、上記薄型テレビ３７に給電されることになる。
【００４３】
上記コンセント２３に接続された電気コード２４は作業者が収容部１３に手を入れて側板４に形成された挿通孔２６に通して収容部１３から家具本体１の外部に導出することができる。そして、電気コード２４の先端に設けられたプラグ２７を壁面に設けられた埋め込みコンセント２９に接続すれば、収容部１３に設けられたコンセント２３を介して上記薄型テレビ３７に給電することができる。
【００４４】
すなわち、予め家具本体１を室内の所定の場所に設置したならば、可動載置板３１を前方へ移動させて収容部１３の上面を開放することで、家具本体１を最初の設置場所から動かすことなく、作業者が収容部１３に手を入れて薄型テレビ３７の電気コード４１を収容部１３に設けられたコンセント２３に接続したり、このコンセント２３に接続された電気コード２４を室内の壁面に設けられた埋め込みコンセント２９に接続することができる。それによって、これらの作業を容易かつ迅速に行なうことができる。
【００４５】
上記薄型テレビ３７にはアンテナコード４２が接続される。上記薄型テレビ３７に一端が接続されたアンテナコード４２は給電コード４１と同様、可動載置板３１の挿通孔３９を通して収容部１３に導入する。
【００４６】
ついで、側板４に形成された挿通孔２６を通して外部に導出したならば、壁面に設けられたアンテナ端子（図示せず）に接続すればよく、これらの作業は収容部１３を開放して作業者が収容部１３に手を入れることで、家具本体１を動かすことなく容易に行なうことができる。
【００４７】
なお、アンテナコード４２は他端を室内の壁面２８に設けられた図示しないアンテナ端子に接続してから一端を薄型テレビ３７のアンテナ端子に接続することがある。そのような場合、上記アンテナコード４２を側板４に形成された挿通孔２６から収容部１３に導入し、ついで収容部１３を開放した状態で可動載置板３１の挿通孔３９を通してその上面側に導出してから、一端を上記薄型テレビ３７のアンテナ端子に接続すればよい。
【００４８】
アンテナコード４２の接続も、可動載置板３１を前方へ移動させて収容部１３を開放しておくことで、家具本体１を最初の設置場所から動かすことなく、容易に行なうことができる。
【００４９】
上記収容部１３に複数の接続口を有するコンセント２３を設けるようにした。そのため、家具本体１の空間部にＤＶＤ１７やビデオデッキ１８などの他のオーディオ機器を載置した場合であっても、これらの電気コードを背面板７に形成された挿通孔２１を通して収容部１３に導出すれば、上記コンセント２３に接続して給電することができる。つまり、ＤＶＤ１７やビデオデッキ１８などの電気コードを家具本体１の外部に導出せずに給電できるから、外観的に良好となる。
【００５０】
上記第１の実施の形態では収容部にコンセントを設け、このコンセントに薄型テレビの電気コードを接続したが、薄型テレビの電気コードを収容部から外部に導出し、壁面に設けられた埋め込みコンセントに接続するようにしてもよい。
【００５１】
可動載置板に挿通部として挿通孔を形成したが、挿通部は挿通孔に代わって可動載置板の後端面に開放する溝であってもよい。挿通部が溝であると、可動載置板を前方へ移動させたとき、その溝に挿通された電気コードやアンテナコードは溝から外れるから、家具本体の上板に逃げ溝を形成しなくとも、可動載置板を移動させることが可能となる。
【００５２】
図９乃至図１５はこの発明の第２の実施の形態であって、第１の実施の形態の家具本体１と異なる構成の家具本体１Ａが用いられている。以下、第２の実施の形態の家具本体１Ａを説明する。なお、第１の実施の形態の家具本体１と同一部分には同一記号を付して説明を省略する。
【００５３】
第２の実施の形態の家具本体１Ａは、底板２の幅方向両端に立設された一対の側板４の前後方向後端間に背面板７が架設されている。さらに、底板２には、上記一対の側板４間に一対の仕切り板５Ａは後端を背面板７の前面に接触させて設けられている。各仕切り板５Ａの下端部には図１４に示すように挿通孔５１が形成されている。  
なお、側板４の外面には図１０と図１３に示すように上下方向に所定間隔で複数の溝４ａが形成され、その側板４の意匠的か外観の向上が図られている。
【００５４】
上記一対の仕切り板５Ａ間の前後方向中途部には、この仕切り板５Ａ間の空間部を前後方向２つの空間部に隔別する隔別板５２が架設されている。この隔別板５２によって隔別された２つの空間部のうち、隔別板５２の背面と背面板７の前面との間に形成された後方の空間部は上記第１の実施の形態の収容部１３と同様、第１の電気コード４１やアンテナコード４２（第１の実施の形態に示す）が挿通される収容部１３Ａとなっていて、前方はたとえば薄型テレビ３７のスピーカシステム５３（図１０に鎖線で示す）を収容する空間部９Ａとなっている。
【００５５】
家具本体１Ａを構成する上板８Ａは、この家具本体１Ａの後端部側の上面を除く部分を閉塞するように設けられている。この実施の形態では上記収容部１３Ａの後端部側の上面を家具本体１Ａの幅方向全体にわたって開放するよう設けられている。
【００５６】
なお、上記上板８Ａは少なくとも上記収容部１３Ａの後端部側の上面を開放していればよく、他の部分である、一対の仕切り板５Ａと一対の側板４との間の空間部９の後端側の上面は開放してもよく、閉塞してもよい。
【００５７】
上記上板８Ａの上面には上記第１の実施の形態と同様、可動載置板３１が前後方向に沿って移動可能に設けられる。上記上板８Ａの上面には、図１１に示すように上記可動載置板３１を円滑に移動させることができるようにするためのフェルトや合成樹脂などで作られたシート状部材５３が前後方向に沿って貼着されている。
【００５８】
なお、図１５（ａ），（ｂ）に示すように、可動載置板３１の下面には、上記上板８の幅方向両端部に前後方向に沿って形成された長孔３２にスライド可能に係合するガイド部材５４がねじ止め固定されている。
【００５９】
図９に示すように、このガイド部材５４は上記長孔５４の約半分の長さに形成されている。それによって、上記可動載置板３１は上記ガイド部材５４が長孔３２内で移動する範囲で前後方向に移動させることができるようになっている。
【００６０】
上記可動載置板３１の上面には第１の実施の形態に示す薄型テレビ３７が載置され、上記仕切り板５Ａと側板４との間の一対の空間部９Ｂには同じく第１の実施の形態に示すＤＶＤ１７とビデオデッキ１８が収容載置される。
【００６１】
上記隔別板５２には矩形状の一対の挿通孔５５が形成されている。この挿通孔５５には、上記スピーカシステム５３と上記薄型テレビ３７を接続する電気コード（図示せず）が挿通される。
【００６２】
詳細は図示しないが、上記仕切り板５Ａの収容部１３Ａ側を向いた面あるいは上記隔別板５２の収容部１３Ａ側を向いた面には第１の実施の形態に示されるコンセント２３が設けられる。このコンセント２３に給電する第２のコード２４は仕切り板５Ａの挿通孔５１及び側板４の挿通孔２６を通されて外部に導出される。  
なお、図示しないが、上記背面板７の上記収容部１３Ａを形成する部分に上記第２の電気コード２４を外部に導出するための挿通孔を形成するようにしてもよい。
【００６３】
このような構成によれば、第１の実施の形態１と同様、家具本体１Ａの上板８に載置された可動載置板３１を前方へスライドさせれば、収容部１３Ａの上面開口を開放することができる。
【００６４】
そのため、家具本体１Ａが室内の壁面２８に接近して設置された状態であっても、上記収容部１３Ａの開口した上面からその内部に手を入れて薄型テレビ３７の第１の電気コード４１に設けられたプラグ４４を、給電用の第２の電気コード２４に設けられたコンセント２３に接続することができる。
【００６５】
同様に、上記仕切り板５Ａと側板４との間の一対の空間部９Ｂに設けられＤＶＤ１７やビデオデッキ１８に対する配線も、仕切り板５Ａに形成された挿通孔５１から収容部１３Ａに通すことで、上記収容部１３Ａの開口した上面から容易に行うことができる。
【００６６】
家具本体１Ａの一対の側板４間に仕切り板５Ａを設け、この仕切り板５Ａ間の空間部を隔別板５２によって前後方向に隔別し、その後方側の空間部を収容部１３Ａとして用いるようにした。
【００６７】
そのため、収容部１３Ａを背面板７の後方に形成した第１の実施の形態に比べて装置本体１Ａの奥行き寸法を小さくすることができる。つまり、装置本体１Ａの大型化を招くことなく、薄型テレビ３７、ＤＶＤ１７、ビデオデッキ１８或いはスピーカシステム５３に対する配線を容易に行うことができるようにするための収容部１３Ａを形成することができる。
【図面の簡単な説明】
【００６８】
【図１】この発明の第１の実施の形態を示す載置用家具の斜視図。
【図２】可動載置板の長手方向一端側を除去した載置用家具の平面図。
【図３】載置用家具の正面図。
【図４】載置用家具の側面図。
【図５】載置用家具の縦断面図。
【図６】（ａ）は家具本体の上板に可動載置板が移動可能に設けられた部分の断面図、（ｂ）は上記上板を内面側から見た平面図。
【図７】上板と可動載置板の逃げ溝が形成された部分の断面図。
【図８】（ａ）〜（ｃ）はそれぞれ家具本体に設けられる仕切り板を示す図。
【図９】この発明の第２の実施の形態を示す家具本体の平面図。
【図１０】同じく正面図。
【図１１】家具本体の上面板を半断面した平面図。
【図１２】可動載置板を除いた家具本体の正面図。
【図１３】家具本体の側面図。
【図１４】可動載置板を除いた家具本体の長手方向中途部の縦断面図。
【図１５】（ａ）は可動載置板の正面図、（ｂ）は同じく内面を示す平面図。
【符号の説明】
【００６９】
１…家具本体、２…底板、４…側板、５…仕切り板、８…上板、１３…収容部、３１…可動載置板、３４…ねじ軸（ストッパ）、３７…薄型テレビ（オーディオ機器）。
【図１】
2008142513.tif 000003
【図２】
2008142513.tif 000004
【図３】
2008142513.tif 000005
【図４】
2008142513.tif 000006
【図５】
2008142513.tif 000007
【図６】
2008142513.tif 000008
【図７】
2008142513.tif 000009
【図８】
2008142513.tif 000010
【図９】
2008142513.tif 000011
【図１０】
2008142513.tif 000012
【図１１】
2008142513.tif 000013
【図１２】
2008142513.tif 000014
【図１３】
2008142513.tif 000015
【図１４】
2008142513.tif 000016
【図１５】
2008142513.tif 000017